(57)【特許請求の範囲】
【請求項１】
少なくとも１つの電気機器における電力消費に関する測定情報を管理する管理システムであって、
電気機器に関連付けられた測定器からそれぞれ送信される、当該電気機器における電力消費に関する測定情報を、測定器に対応させて格納する第１の格納手段と、
測定器と電気機器との関連付けに関する履歴情報を格納する第２の格納手段と、
電気機器の選択に応答して、当該選択された電気機器についての電力情報を出力する情報出力手段とを備え、
前記履歴情報は、電気機器に対応させて格納された、測定器との関連付けが有効化された時刻に関する情報および当該関連付けられた測定器を識別するための情報を含み、
前記情報出力手段は、前記電力情報として、前記第１の格納手段の前記測定情報および前記第２の格納手段の前記履歴情報に基づく、測定器に依らず期間に対応付けられた電気機器の電力消費に関する情報を出力する、管理システム。
【請求項２】
測定器に関連付けられる電気機器の指定を受け付けるためのユーザインターフェイス画面を提供する選択受付手段をさらに備え、
前記選択受付手段を介して受け付けられた電気機器の指定に基づいて、前記第２の格納手段に格納された前記履歴情報の内容を更新する、請求項１に記載の管理システム。
【請求項３】
少なくとも１つの電気機器における電力消費に関する測定情報を管理する管理装置であって、
電気機器に関連付けられた測定器からそれぞれ送信される、当該電気機器における電力消費に関する測定情報を、測定器に対応させて格納する第１の格納手段と、
測定器と電気機器との関連付けに関する履歴情報を格納する第２の格納手段と、
電気機器の選択に応答して、当該選択された電気機器についての電力情報を出力する情報出力手段とを備え、
前記履歴情報は、電気機器に対応させて格納された、測定器との関連付けが有効化された時刻に関する情報および当該関連付けられた測定器を識別するための情報を含み、
前記情報出力手段は、前記電力情報として、前記第１の格納手段の前記測定情報および前記第２の格納手段の前記履歴情報に基づく、測定器に依らず期間に対応付けられた電気機器の電力消費に関する情報を出力する、管理装置。
【請求項４】
少なくとも１つの電気機器における電力消費に関する測定情報を管理する管理プログラムであって、前記管理プログラムは、コンピュータを
電気機器に関連付けられた測定器からそれぞれ送信される、当該電気機器における電力消費に関する測定情報を、測定器に対応させて格納する第１の格納手段と、
測定器と電気機器との関連付けに関する履歴情報を格納する第２の格納手段と、
電気機器の選択に応答して、当該選択された電気機器についての電力情報を出力する情報出力手段として機能させ、
前記履歴情報は、電気機器に対応させて格納された、測定器との関連付けが有効化された時刻に関する情報および当該関連付けられた測定器を識別するための情報を含み、
前記情報出力手段は、前記電力情報として、前記第１の格納手段の前記測定情報および前記第２の格納手段の前記履歴情報に基づく、測定器に依らず期間に対応付けられた電気機器の電力消費に関する情報を出力する、管理プログラム。
【請求項５】
少なくとも１つの電気機器における電力消費に関する測定情報を管理する管理方法であって、
電気機器に関連付けられた測定器からそれぞれ送信される、当該電気機器における電力消費に関する測定情報を、測定器に対応させて格納手段に格納する第１ステップと、
測定器と電気機器との関連付けに関する履歴情報であって、測定器との関連付けが有効化された時刻に関する情報および当該関連付けられた測定器を識別するための情報を、電気機器に対応させて格納手段に格納する第２ステップと、
電気機器の選択に応答して、前記第２ステップで格納した履歴情報を参照し前記第１ステップで格納した測定情報のうち当該選択された電気機器に対応する測定情報を抽出して、当該選択された電気機器に関して測定器に依らず期間に対応付けられた電力消費に関する情報を生成する第３ステップとを含む、管理方法。
【発明の詳細な説明】
【技術分野】
【０００１】
本発明は、少なくとも１つの電気機器における電力消費に関する測定情報を管理する管理システム、管理装置および管理プログラムに関する。
【背景技術】
【０００２】
近年、環境保護やエネルギー問題の観点から、家庭内で使用される電気機器（主として、家電機器）の省エネルギー（以下、「省エネ」とも称す。）意識を高める取り組みがなされている。省エネは、エネルギーを効率的に使用したり、余分なエネルギーの消費を抑えたりすることによって、エネルギーの消費量を低減しようとするものである。このような取り組みを支援するためのシステムとして、ＨＥＭＳ（Home Energy Management System：家庭内電力管理システム）が実用化されつつある。このようなＨＥＭＳを用いることで、家庭内の電力管理や電力制御をより容易に行なうことができる。
【０００３】
省エネを実現するためには、まず、電気機器での電力消費の状態を測定する必要がある。電気機器が電力消費の状態を測定するための手段を有している場合は問題ないが、従前から存在する電気機器については、その電力消費の状態を測定するために、測定器を設ける必要がある。
【０００４】
このような複数の測定器を用いた電力管理システムとしては、例えば、特開平０９−０８４１４６号公報（特許文献１）が公知である。この特開平０９−０８４１４６号公報（特許文献１）に開示される電力管理システムは、通信機能を有する複数のターミナルを有しており、各ターミナルは、計測された各家電機器の消費電力量をコントローラに出力する。この電力管理システムでは、コントローラは、各ターミナルからのデータ（個々の消費電力量）を元に各家電機器の現在の消費電力量や消費電力量の時間ごとの推移や、全家電機器トータルの現在の消費電力量や消費電力量の時間ごとの推移を出力する。
【先行技術文献】
【特許文献】
【０００５】
【特許文献１】特開平０９−０８４１４６号公報
【発明の概要】
【発明が解決しようとする課題】
【０００６】
ところで、電気機器（家電機器）の買い換え／買い増しや部屋の模様替えなどによって、同一の測定器を使用する電気機器が変更される場合がある。例えば、テレビジョンにおける電力消費の測定に用いていた測定器を、ある時点から、オーディオ装置に用いるようになる場合などが想定される。このような場合、上述の特開平０９−０８４１４６号公報（特許文献１）に開示される電力管理システムでは、このような測定器の変更に対処することができず、誤った情報が収集および出力される可能性がある。
【０００７】
本発明は、このような課題を解決するためになされたものであって、その目的は、電気機器に関連付けられる測定器が変更された場合でも、測定情報をより容易に管理することのできる管理システム、管理装置および管理プログラムを提供することである。
【課題を解決するための手段】
【０００８】
本発明のある局面に従えば、少なくとも１つの電気機器における電力消費に関する測定情報を管理する管理システムを提供する。管理システムは、各電気機器に関連付けられた測定器からそれぞれ送信される、当該電気機器における電力消費に関する測定情報を、測定器の別に時系列に格納する第１の格納手段と、測定器と電気機器との関連付けに関する履歴情報を格納する第２の格納手段と、電気機器の選択に応答して、測定器の別に格納された測定情報のうち、当該選択された電気機器に対応する測定情報を抽出することで、当該選択された電気機器についての電力情報を出力する情報出力手段とを含む。
【０００９】
好ましくは、第２の格納手段は、履歴情報として、測定器との関連付けが有効化された時刻および当該関連付けられた測定器を識別するための情報を、電気機器の別に格納する。
【００１０】
あるいは好ましくは、第２の格納手段は、履歴情報として、最も新しく関連付けられた測定器を識別するための情報を、電気機器の別に格納する。
【００１１】
好ましくは、管理システムは、各測定器について、関連付けられる電気機器の指定を受け付けるためのユーザインターフェイス画面を提供する選択受付手段をさらに含む。第２の格納手段は、選択受付手段を介して受け付けられた電気機器の指定に基づいて、履歴情報の内容を更新する。
【００１２】
本発明の別の局面に従えば、少なくとも１つの電気機器における電力消費に関する測定情報を管理する管理装置を提供する。管理装置は、各電気機器に関連付けられた測定器からそれぞれ送信される、当該電気機器における電力消費に関する測定情報を、測定器の別に時系列に格納する第１の格納手段と、測定器と電気機器との関連付けに関する履歴情報を格納する第２の格納手段と、電気機器の選択に応答して、測定器の別に格納された測定情報のうち、当該選択された電気機器に対応する測定情報を抽出することで、当該選択された電気機器についての電力情報を出力する情報出力手段とを含む。
【００１３】
本発明のさらに別の局面に従えば、少なくとも１つの電気機器における電力消費に関する測定情報を管理する管理プログラムであって、管理プログラムは、コンピュータを、各電気機器に関連付けられた測定器からそれぞれ送信される、当該電気機器における電力消費に関する測定情報を、測定器の別に時系列に格納する第１の格納手段と、測定器と電気機器との関連付けに関する履歴情報を格納する第２の格納手段と、電気機器の選択に応答して、測定器の別に格納された測定情報のうち、当該選択された電気機器に対応する測定情報を抽出することで、当該選択された電気機器についての電力情報を出力する情報出力手段として機能させる。
【００１４】
本発明のさらに別の局面に従えば、少なくとも１つの電気機器における電力消費に関する測定情報を管理する管理システムを提供する。管理システムは、各電気機器に関連付けられた測定器からそれぞれ送信される、当該電気機器における電力消費に関する測定情報を取得する取得手段と、予め設定された測定器と電気機器との対応関係に基づいて、各測定器から取得した測定情報を対応する電気機器に関連付けて時系列に格納する格納手段とを含む。
【００１５】
好ましくは、管理システムは、格納手段に格納された測定情報に基づいて、各電気機器についての電力情報を出力する情報出力手段をさらに含む。
【００１６】
好ましくは、管理システムは、各測定器について、関連付けられる電気機器の指定を受け付けるためのユーザインターフェイス画面を提供する選択受付手段をさらに含む。
【００１７】
好ましくは、格納手段は、測定元の測定器を識別するための情報とともに、測定情報を格納する。
【００１８】
本発明のさらに別の局面に従えば、少なくとも１つの電気機器における電力消費に関する測定情報を管理する管理装置を提供する。管理装置は、各電気機器に関連付けられた測定器からそれぞれ送信される、当該電気機器における電力消費に関する測定情報を取得する取得手段と、予め設定された測定器と電気機器との対応関係に基づいて、各測定器から取得した測定情報を対応する電気機器に関連付けて時系列に格納する格納手段とを含む。
【００１９】
本発明のさらに別の局面に従えば、少なくとも１つの電気機器における電力消費に関する測定情報を管理する管理プログラムを提供する。管理プログラムは、コンピュータを、各電気機器に関連付けられた測定器からそれぞれ送信される、当該電気機器における電力消費に関する測定情報を取得する取得手段と、予め設定された測定器と電気機器との対応関係に基づいて、各測定器から取得した測定情報を対応する電気機器に関連付けて時系列に格納する格納手段として機能させる。
【発明の効果】
【００２０】
本発明によれば、電気機器に関連付けられる測定器が変更された場合でも、電力情報をより容易に管理することができる。
【図面の簡単な説明】
【００２１】
【図１】本発明の実施の形態に従う管理システムを含む電力システムの全体構成を示す模式図である。
【図２】本発明の実施の形態に従う管理システムに含まれる表示装置のハードウェア構成を示す模式図である。
【図３】本発明の実施の形態に従う管理システムに含まれるデータ格納装置のハードウェア構成を示す模式図である。
【図４】本発明の実施の形態に従う管理システムに含まれる測定器の外観図である。
【図５】本発明の実施の形態に従う管理システムに含まれる測定器のハードウェア構成を示す模式図である。
【図６】本発明の実施の形態が対処する課題について説明するための図である。
【図７】本発明の実施の形態が対処する課題について説明するための図である。
【図８】本発明の実施の形態における解決手段の概要について説明するための図である。
【図９】本発明の実施の形態１に従う管理システムにおいて用いられるテーブルのデータ構造の一例を示す図である。
【図１０】本発明の実施の形態１に従う管理システムにおける電力情報の出力処理を説明するための図である。
【図１１】本発明の実施の形態１に従う管理システムにおいて提供される電力情報の表示例を示す図である。
【図１２】本発明の実施の形態１に従う管理システムにおける処理手順を示すシーケンス図である。
【図１３】本発明の実施の形態１に従う管理システムにおいて提供される設定変更操作に係るユーザインターフェイス画面の一例を示す図である。
【図１４】本発明の実施の形態１に従う管理システムにおいて提供される設定変更操作に係るユーザインターフェイス画面の一例を示す図である。
【図１５】本発明の実施の形態１に従う管理システムにおいて提供される設定変更操作に係るユーザインターフェイス画面の一例を示す図である。
【図１６】本発明の実施の形態１に従う管理システムにおいて提供される設定変更操作に係るユーザインターフェイス画面の一例を示す図である。
【図１７】本発明の実施の形態１に従う管理システムにおいて提供される設定変更操作に係るユーザインターフェイス画面の一例を示す図である。
【図１８】本発明の実施の形態に従う管理システムにおける測定情報の補正処理について説明するための図である。
【図１９】本発明の実施の形態１の第１変形例に従う管理システムにおいて用いられる履歴情報テーブルのデータ構造の一例を示す図である。
【図２０】本発明の実施の形態１の第２変形例に従う管理システムにおいて用いられ測定情報テーブルのデータ構造の一例を示す図である。
【図２１】本発明の実施の形態１の第３変形例に従うホームコントローラを含む電力システムの全体構成を示す模式図である。
【図２２】本発明の実施の形態１の第３変形例に従うホームコントローラのハードウェア構成を示す模式図である。
【図２３】本発明の実施の形態２に従う管理システムにおける測定情報の格納処理を説明するための図である。
【図２４】本発明の実施の形態２に従う管理システムにおいて用いられるテーブルのデータ構造の一例を示す図である。
【図２５】本発明の実施の形態２に従う管理システムにおける処理手順を示すシーケンス図である。
【図２６】本発明の実施の形態２の第１変形例に従う管理システムにおいて用いられる測定情報テーブルのデータ構造の一例を示す図である。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
［Ａ．システムの全体構成］
本実施の形態に従う管理システムは、少なくとも１つの電気機器における電力消費に関する測定情報を管理する。なお、太陽光発電装置や燃料電池などを管理対象としてもよく、この場合には、本実施の形態に従う管理システムは、電力消費に関する測定情報に加えて、あるいは、電力消費に関する測定情報に代えて、電力発生に関する測定情報を管理してもよい。
【００２４】
本明細書において、測定情報および測定情報に基づいて出力される電力情報は、対応の電気機器における電力消費／電力発生に係るさまざまな情報を含む概念である。より具体的には、測定情報および電力情報は、対応の測定対象機器（電気機器）で授受されている瞬間電力（以下、単に「電力」とも称す。）（単位：ＷまたはｋＷ）や、所定期間に亘る電力の積算量である電力量（単位：ＷｈまたはｋＷｈ）を含む。さらに、本明細書における測定情報および電力情報は、対応の測定対象機器（電気機器）における電力消費／電力発生に直接的または間接的に関連する物理量、例えば、電圧、電流、温度、湿度、照度、輝度、ガスといった燃料の瞬時流量や積算使用量、および、水などの流体の瞬時流量や積算使用量などを含み得る。これらの物理量のうち、電圧および電流は、電力または電力量と直接に関連し、温度および湿度は、例えば、空気調和機などで消費される電力に関連し、照度および輝度は、例えば、照明器具などで消費される電力に関連する。燃料の瞬時流量および積算使用量は、その燃焼によって生じる熱量に関連し、さらにその熱量による室温上昇に伴って、空気調和機などで消費される電力にも関連する。あるいは、燃料が燃料電池などに供給される場合には、当該燃料の瞬時流量および積算使用量は、発電電力または発電電力量に関連する。また、水などの流体の瞬時流量および積算使用量は、典型的には、家事などの作業に係る量に関連し、さらに家事などの作業を支援する洗濯機や食器洗浄機などで消費される電力にも関連する。もちろん、上述した物理量以外にも、適用先に存在する電気機器などに応じて、様々な種類の物理量を管理することができる。
【００２５】
以下、家屋内で使用される１つまたは複数の電気機器を含む電力システムを一例として説明するが、本発明はこのような電力システムのみに適用されるものではない。すなわち、本発明は、測定器を用いて測定情報を取得するものであれば、どのような構成にも適用可能である。
【００２６】
本明細書において、電気機器は、外部から供給される電力によって動作する機器、および、何らかのエネルギーによって発電する機器のいずれをも含む概念である。家屋は、住宅やオフィスなどを含む。
【００２７】
図１は、本発明の実施の形態に従う管理システム２を含む電力システム１の全体構成を示す模式図である。図１を参照して、本実施の形態に従う電力システム１は、住宅やオフィスなどの家屋内に設置される。より具体的には、電力システム１は、電力を消費する電気機器として、複数の家電機器を含む。図１には、これらに限られるものではないが、家電機器として、家屋内に設置されるエアコン（空気調和機）２００Ａ、テレビジョン２００Ｂ、電子レンジ２００Ｃ、冷蔵庫２００Ｄ、および照明器具２００Ｅ（これらを「電気機器２００」とも総称する。）などが図示されている。また、電力システム１は、電力を発生する電気機器としての太陽光発電装置２００Ｘ、および電力の蓄電／放電を行なう蓄電池２００Ｙを含む。蓄電池２００Ｙは、住宅などに設置されるものであってもよいし、自動車用の蓄電池を住宅用の蓄電池として兼用するものであってもよい。
【００２８】
さらに、電力システム１は、複数の家電機器、太陽光発電装置２００Ｘ、蓄電池２００Ｙ、および電力系統（電力会社が提供する商用電力など）と接続され、それぞれの電力を制御するためのパワーコンディショナ２００Ｚを含む。パワーコンディショナ２００Ｚは、太陽光発電装置２００Ｘからの発電電力、蓄電池２００Ｙとの間の充放電電力、電力系統からの購入電力を、効率の観点からバランスさせた上で、電力線４０２を介して電気機器２００へ電力を供給する。
【００２９】
電力システム１に含まれる管理システム２は、電気機器２００に関連付けられた測定器４００Ａ〜４００Ｅ、太陽光発電装置２００Ｘ、蓄電池２００Ｙ、およびパワーコンディショナ２００Ｚなどを監視・制御するための管理システム２を含む。管理システム２は、有線または無線のネットワーク４０１を介して、電気機器２００に関連付けられた測定器４００Ａ〜４００Ｅ、太陽光発電装置２００Ｘ、蓄電池２００Ｙ、およびパワーコンディショナ２００Ｚなどとの間でデータ通信が可能である。
【００３０】
ネットワーク４０１としては、任意のものを利用することができるが、有線のネットワークであれば、例えば、イーサネット（登録商標）、ＰＬＣ（Power Line Communications）などを用いることができる。また、無線のネットワークであれば、例えば、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などを用いることができる。さらに、複数の通信方式を組み合わせてもよい。
【００３１】
測定器４００は、いずれかの電気機器２００に関連付けられ、当該関連付けられた電気機器２００における電力消費に関する情報を測定するとともに、その測定情報を管理システム２へ送信する。典型的には、測定器４００としては、電力線４０２と電気機器２００のプラグとの間に配置されて電力消費の状態を測定する、いわゆる電力測定装置が用いられる。
【００３２】
図１に示す例では、電力線４０２に５つの測定器４００Ａ〜４００Ｅが電気的に接続されている。測定器４００Ａには、エアコン２００Ａのプラグ２５０Ａが接続されており、測定器４００Ｂには、テレビジョン２００Ｂのプラグ２５０Ｂが接続されており、測定器４００Ｃには、電子レンジ２００Ｃのプラグ２５０Ｃが接続されており、測定器４００Ｄには、冷蔵庫２００Ｄのプラグ２５０Ｄが接続されており、測定器４００Ｅには、照明器具２００Ｅのプラグ２５０Ｅが接続されている。そのため、測定器４００Ａ〜４００Ｅは、それぞれ、エアコン２００Ａ、テレビジョン２００Ｂ、電子レンジ２００Ｃ、冷蔵庫２００Ｄ、照明器具２００Ｅにおける電力消費に関する測定情報を取得する。
【００３３】
管理システム２は、データ格納装置３００と、表示装置１００とを含む。データ格納装置３００は、各電気機器２００に関連付けられた測定器４００からそれぞれ送信される電力消費に関する測定情報を格納する。表示装置１００は、電力システム１における電力消費／発生の状態などをユーザに提示したり、ユーザから電力システム１における電力管理に関する指示を受け付けたりするような、ユーザインターフェイスを提供する。また、表示装置１００は、データ格納装置３００に格納される電力消費に関する測定情報などに基づいて、電力消費に関するグラフなどを表示する。表示装置１００は、ポータブル型であってもよいし、テーブル上に配置されたベースに対して着脱自在であってもよいし、部屋の壁などに固定されるものであってもよい。図１には、複数の表示装置１００が設けられる構成例を示すが、表示装置１００が１台のみであっても、本実施の形態に従う機能や処理を提供できる。
【００３４】
図１には、表示装置１００とデータ格納装置３００とが別体である管理システム２を例示するが、これらの機能を単一の装置として一体化したような管理装置（一例として、ホームコントローラ）として実装してもよい。このような実装例については、後述する。
【００３５】
［Ｂ．装置構成］
次に、図１に示す電力システム１を構成する主要な装置のハードウェア構成について説明する。
【００３６】
（ｂ１：表示装置１００）
図２は、本発明の実施の形態に従う管理システム２に含まれる表示装置１００のハードウェア構成を示す模式図である。図２を参照して、表示装置１００は、ＣＰＵ（Central Processing Unit）１０１と、ディスプレイ１０３およびタブレット１０４を含むタッチパネル１０２と、操作ボタン１０５と、通信インターフェイス１０６と、出力インターフェイス１０７と、入力インターフェイス１０８と、ハードディスク１０９と、メモリ１１０と、スピーカ１１１とを含む。
【００３７】
ＣＰＵ１０１は、表示装置１００における全体処理を司る処理主体であり、メモリ１１０などに予め格納されたプログラムを実行することで、後述するような各種機能を提供する。ＣＰＵ１０１は、タブレット１０４または操作ボタン１０５を入力されたユーザ操作に応答して、当該ユーザ操作によって指示された処理を実行する。このような指示としては、電気機器２００に対する運転／停止に関する指示、パワーコンディショナ２００Ｚに対する制御モードの変更に関する指示、現在または過去の電力管理状態を表示する指示などを含む。
【００３８】
タッチパネル１０２は、ユーザインターフェイスを提供する装置であり、ＣＰＵ１０１からの命令に従って各種情報をユーザに提示するとともに、ユーザから入力された指示をＣＰＵ１０１へ出力する。より具体的には、ディスプレイ１０３は、例えば、ＬＣＤ（Liquid Crystal Display）や有機ＥＬ（Electro Luminescence）ディスプレイなどからなり、その表示面に画像を表示する。タブレット１０４は、ユーザの指などによるタッチ操作を検出して、そのタッチ操作がなされた位置を示す座標値などをＣＰＵ１０１へ出力する。本実施の形態においては、ディスプレイ１０３の表示面に対応付けてタブレット１０４が設けられている。但し、表示装置１００は、必ずしもタッチパネルを含む必要はなく、ユーザに対して、各種情報を提示できればよい。
【００３９】
操作ボタン１０５は、ユーザ操作を受け付けるための入力手段であり、典型的には、表示装置１００の表面に１つまたは複数が配置される。典型的に、操作ボタン１０５は、決定ボタン、戻りボタン、方向ボタン、テンキーなどの複数のボタンやキーを含む。操作ボタン１０５は、ユーザ操作を受け付けると、そのユーザ操作を示す情報をＣＰＵ１０１へ出力する。
【００４０】
通信インターフェイス１０６は、ＣＰＵ１０１からの命令に従って、データ格納装置３００、測定器４００、太陽光発電装置２００Ｘ、蓄電池２００Ｙ、およびパワーコンディショナ２００Ｚなどとの間でデータ通信を行なう。より具体的には、通信インターフェイス１０６は、上述したような、イーサネット（登録商標）、ＰＬＣ（Power Line Communications）、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などを利用する。
【００４１】
出力インターフェイス１０７は、ＣＰＵ１０１とディスプレイ１０３との間の内部コマンドの遣り取りを仲介する。入力インターフェイス１０８は、タブレット１０４および／または操作ボタン１０５とＣＰＵ１０１との間の内部コマンドの遣り取りを仲介する。
【００４２】
ハードディスク１０９は、表示装置１００での情報処理に必要な各種データを格納する。この各種データの詳細については、後述する。
【００４３】
メモリ１１０は、揮発性記憶装置であるＲＡＭ（Random Access Memory）や、不揮発性記憶装置であるＲＯＭ（Read-Only Memory）などによって実現され、ＣＰＵ１０１によって実行されるプログラムや、ＣＰＵ１０１によるプログラムの実行に必要なワークデータを格納する。
【００４４】
スピーカ１１１は、音声デバイスであり、ＣＰＵ１０１からの命令に従って音声を出力する。時計１１２は、計時手段であり、ＣＰＵ１０１からの命令に従って、現在の日付や時刻をＣＰＵ１０１へ応答する。
【００４５】
なお、ハードディスク１０９および／またはメモリ１１０は、通信インターフェイスを介して接続される記憶媒体を用いて実現してもよい。このような記憶媒体としては、フラッシュメモリ、マスクＲＯＭ、ＥＰＲＯＭ（Electronically Programmable Read-Only Memory）、ＥＥＰＲＯＭ（Electronically Erasable Programmable Read-Only Memory）、ＩＣ（Integrated Circuit）カードなどの半導体記憶媒体、ＣＤ−ＲＯＭ（Compact Disc-Read Only Memory）やＤＶＤ−ＲＯＭ（Digital Versatile Disk-Read Only Memory）などの光学ディスク記憶媒体、ＭＯ（Magnetic Optical Disc）やＭＤ（Mini Disc）などの光磁気ディスク記憶媒体、ＦＤ（Flexible Disk）、磁気テープ、カセットテープなどの磁気記憶媒体を用いることができる。
【００４６】
表示装置１００における情報処理は、ＣＰＵ１０１が周辺のハードウェアコンポーネントと連係してプログラムを実行することで実現される。一般的には、このようなプログラムは、メモリ１１０などに予めインストールされる。
【００４７】
このようなプログラムは、任意の記憶媒体に格納されて流通することで提供されうる。あるいは、このようなプログラムは、インターネットなどに接続されているサーバ装置（または、他の装置）からのダウンロードによって提供されうる。すなわち、記憶媒体から格納されているプログラムが読み出されて、または、サーバ装置からダウンロードによりプログラムが取得されて、メモリ１１０などに一旦格納される。そして、ＣＰＵ１０１は、メモリ１１０に格納されたプログラムを実行可能な形式に展開した上で、当該プログラムを実行する。このようなプログラムを格納する記憶媒体としては、フラッシュメモリ、マスクＲＯＭ、ＥＰＲＯＭ、ＥＥＰＲＯＭ、ＩＣカードなどの半導体記憶媒体、ＣＤ−ＲＯＭやＤＶＤ−ＲＯＭなどの光学ディスク記憶媒体、ＭＯやＭＤなどの光磁気ディスク記憶媒体、ＦＤ、磁気テープ、カセットテープなどの磁気記憶媒体を用いることができる。
【００４８】
さらに、メモリ１１０などに予めプログラムをインストールするのではなく、別のシステムまたは装置に格納されているプログラムをＣＰＵ１０１が読み出して実行するようにしてもよい。
【００４９】
さらに、記憶媒体などから読み出されたプログラムが、コンピュータに装着された機能拡張ボードや機能拡張ユニットに搭載されるメモリなどに書き込まれた後、当該プログラムに従って、当該機能拡張ボードや機能拡張ユニットに搭載される演算部（ＣＰＵなど）が必要な処理の全部または一部を行なうことで、本実施の形態に従う機能を実現するようにしてもよい。
【００５０】
さらに、ＣＰＵ１０１がプログラムを実行することにより本実施の形態に従うすべての機能を実現するだけでなく、プログラムに従って、コンピュータ上で実行されているＯＳ（オペレーティングシステム）などが必要な処理の全部または一部を行なうことで、本実施の形態に従う機能を実現するようにしてもよい。
【００５１】
上述のようなソフトウェアによって本実施の形態に従う機能を実現する場合には、記憶媒体などから読み出されたプログラム自体、または、当該プログラムを格納した記憶媒体が本発明の一形態を構成することになる。
【００５２】
なお、本明細書において、プログラムは、ＣＰＵ１０１により直接的に実行可能なプログラムだけではなく、ソースプログラム形式のプログラム、圧縮処理されたプログラム、および暗号化されたプログラムを含む。
【００５３】
（ｂ２：データ格納装置３００）
図３は、本発明の実施の形態に従う管理システム２に含まれるデータ格納装置３００のハードウェア構成を示す模式図である。図３を参照して、データ格納装置３００は、ＣＰＵ３０１と、ハードディスク３０２と、メモリ３０３と、通信インターフェイス３０４と、時計３０５とを含む。
【００５４】
ＣＰＵ３０１は、データ格納装置３００における全体処理を司る処理主体であり、メモリ３０３などに予め格納されたプログラムを実行することで、後述するような各種機能を提供する。
【００５５】
ハードディスク３０２は、測定器４００Ａ〜４００Ｅから送信される電力消費に関する測定情報を格納する。この測定情報の格納処理の詳細については、後述する。
【００５６】
メモリ３０３は、揮発性記憶装置であるＲＡＭや、不揮発性記憶装置であるＲＯＭなどによって実現され、ＣＰＵ３０１によって実行されるプログラムや、ＣＰＵ３０１によるプログラムの実行に必要なワークデータを格納する。
【００５７】
通信インターフェイス３０４は、ＣＰＵ３０１からの命令に従って、表示装置１００、データ格納装置３００、測定器４００、太陽光発電装置２００Ｘ、蓄電池２００Ｙ、およびパワーコンディショナ２００Ｚなどとの間でデータ通信を行なう。その詳細については、上述した通信インターフェイス１０６（図２）と同様であるので、詳細な説明は繰り返さない。
【００５８】
時計３０５は、計時手段であり、ＣＰＵ３０１からの命令に従って、現在の日付や時刻をＣＰＵ３０１へ応答する。
【００５９】
なお、図２に示すハードディスク１０９および／またはメモリ１１０についての説明したように、ハードディスク３０２および／またはメモリ３０３は、通信インターフェイスを介して接続される記憶媒体を用いて実現してもよい。ここでは、記憶媒体についての詳細な説明は繰り返さない。
【００６０】
データ格納装置３００における情報処理は、ＣＰＵ３０１が周辺のハードウェアコンポーネントと連係してプログラムを実行することで実現される。一般的には、このようなプログラムは、メモリ３０３などに予めインストールされる。このようなプログラムの流通および実行時の処理などについては、上述した表示装置１００に向けられるプログラムと同様であるので、詳細な説明は繰り返さない。
【００６１】
（ｂ３：測定器４００）
図４は、本発明の実施の形態に従う管理システム２に含まれる測定器４００の外観図である。ここで、図４（ａ）には、測定器４００のソケット４００１を含む斜視図を示し、図４（ｂ）には、測定器４００の側面図を示し、図４（ｃ）には、測定器４００のプラグ４００２を含む斜視図を示す。図５は、本発明の実施の形態に従う管理システム２に含まれる測定器４００のハードウェア構成を示す模式図である。
【００６２】
図４（ａ）〜図４（ｃ）を参照して、測定器４００は、電力線４０２を流れる電力を供給するためのソケットと電気機器２００のプラグとの間に介挿されるように配置される。より具体的には、図４（ａ）を参照して、測定器４００の表面４０５１には、プラグ差込用のソケット４００１が設けられている。一方、図４（ｂ）および図４（ｃ）を参照して、測定器４００の表面４０５１とは反対側の面である表面４０５３には、プラグ４００２が設けられている。ソケット４００１には、電気機器２００のプラグが差し込まれるとともに、プラグ４００２は、家屋内に設けられる電力線４０２を介して電力を供給するためのソケット（コンセント／アウトレット）に差し込まれる。
【００６３】
なお、測定器４００は、なるべく薄い方が好ましいので、側面４０５２の厚さは可能な限り小さく設計される。
【００６４】
測定器４００の表面４０５１には、さらに、ＬＥＤ４０４１および設定ボタン４０４２が設けられている。ＬＥＤ４０４１は、測定器４００におけるデータ処理状態を表示する。より具体的には、ＬＥＤ４０４１は、データ処理状態に応じて、点灯の有無、点滅の有無／周期、発光色などを異ならせる。設定ボタン４０４２は、ユーザ操作を受け付けるための入力手段であり、ユーザによって操作されると、測定器４００における初期設定などが開始される。
【００６５】
図５を参照して、測定器４００は、ソケット４００１、プラグ４００２、ＬＥＤ４０４１、および設定ボタン４０４２に加えて、ソケット４００１とプラグ４００２とを電気的に接続する一対の主配線４００４および４００５と、主配線４００５に挿入されたシャント抵抗４００３と、電源部４００７と、電力検出部４０１０と、通信モジュール４０２０と、アンテナ４０３０とを含む。
【００６６】
電力検出部４０１０は、プラグ４００２からソケット４００１へ流れる電力を検出する。より具体的には、電力検出部４０１０は、電圧入力ＡＤＣ（Analog to Digital Converter：アナログ・デジタル変換器）４０１１と、電流入力ＡＤＣ４０１２と、乗算器４０１３と、デジタル／周波数変換部４０１４とを含む。
【００６７】
電圧入力ＡＤＣ４０１１は、配線Ｖ１ＰおよびＶ１Ｎを介して、主配線４００４および４００５にそれぞれ接続される。電圧入力ＡＤＣ４０１１は、主配線間に生じる電圧（電位差）を示すデジタル信号を乗算器４０１３へ出力する。
【００６８】
電流入力ＡＤＣ４０１２は、配線Ｖ２ＰおよびＶ２Ｎを介して、主配線４００５に挿入されたシャント抵抗４００３の両端と電気的に接続される。シャント抵抗４００３は、流れる電流値を測定するために使われる微小な（数百マイクロΩ）抵抗である。電流入力ＡＤＣ４０１２は、シャント抵抗４００３に流れる電流の電流値を示すデジタル信号を乗算器４０１３へ出力する。
【００６９】
乗算器４０１３は、電圧入力ＡＤＣ４０１１からのデジタル信号（電圧値）と、電流入力ＡＤＣ４０１２からのデジタル信号（電流値）とを乗算し、その結果得られた値（消費電力／単位：ＷまたはｋＷ）を示すデジタル信号をデジタル／周波数変換部４０１４へ出力する。
【００７０】
デジタル／周波数変換部４０１４は、乗算器４０１３からのデジタル信号を周波数信号に変換し、その結果得られた周波数信号を通信モジュール４０２０へ出力する。
【００７１】
電源部４００７は、測定器４００の各コンポーネントに電力を供給する。電源部４００７は、主配線４００４および４００５に接続され、プラグ４００２からソケット４００１へ流れる電力の一部を測定器４００の動作用の電力として利用する。電源部４００７は、交流電力を直流電力に変換した後、その直流電力を電力検出部４０１０および通信モジュール４０２０へ供給する。
【００７２】
通信モジュール４０２０は、電力検出部４０１０により算出されたソケット４００１に接続されている電気機器における消費電力を示す無線信号を、アンテナ４０３０を介して送出する。より具体的には、通信モジュール４０２０は、ＣＰＵ４０２１と、ＲＯＭ４０２２と、ＲＡＭ４０２３と、ＧＰＩＯ（General Purpose Input/Output）４０２４と、無線ＲＦ（Radio Frequency）部４０２５とを含む。
【００７３】
ＧＰＩＯ４０２４は、デジタル／周波数変換部４０１４から入力された周波数信号を受信し、その周波数信号の情報をＣＰＵ４０２１へ出力する。
【００７４】
ＣＰＵ４０２１は、ＧＰＩＯ４０２４からの周波数信号の情報を所定のロジックに従ってデータ変換し、その結果を無線ＲＦ部４０２５へ出力する。無線ＲＦ部４０２５は、ＣＰＵ４０２１からのデータ変換結果に基づいて搬送波を変調することで、無線信号を生成する。無線ＲＦ部４０２５で生成された無線信号は、アンテナ４０３０を介して、送信される。
【００７５】
ＣＰＵ４０２１は、ＲＯＭ４０２２に予め格納されているプログラムを実行することで、上述のような処理を実現する。ＲＡＭ４０２３は、ＣＰＵ４０２１によるプログラムの実行に必要なワークデータを格納する。
【００７６】
［Ｃ．課題］
次に、本実施の形態に従う管理システム２が対処する課題について説明する。
【００７７】
図６および図７は、本発明の実施の形態が対処する課題について説明するための図である。
【００７８】
例えば、電気機器２００の買い換え／買い増しや部屋の模様替えなどによって、同一の測定器４００に接続される電気機器２００が変更される場合がある。図６を参照して、例えば、測定器４００Ｂに接続されていたテレビジョン２００Ｂの設置位置を変更することで、テレビジョン２００Ｂの接続先が測定器４００Ｃに変更されるような場合が考えられる。
【００７９】
また、上述したように、測定器４００は、家屋内などに設けられる電力を供給するためのソケット（コンセント／アウトレット）と、電気機器２００のプラグとの間に配置されて、電気機器２００における電力消費に関する情報を容易に測定できるので、測定器４００の配置位置については、比較的自由に定めることができる。そのため、ある測定器４００について見れば、測定対象の電気機器２００が頻繁に変更される場合もある。
【００８０】
一方で、測定器４００から送信される測定情報には、基本的には、測定対象の電気機器２００を特定するための情報は含まれない。すなわち、一般的には、測定器４００は、接続されている電気機器２００を識別するための情報を有していない。
【００８１】
従来のシステムでは、このような測定器４００に接続されている電気機器２００が変更されたなど場合に、対応することができなかった。すなわち、従来のシステムでは、それぞれの測定器に接続されている電気機器の情報は設定されていたかもしれないが、いずれの電気機器２００がいずれの測定器４００に、いつ接続されていたのかといった情報を保持しておらず、そのため、誤った情報をユーザに出力する可能性があった。
【００８２】
例えば、３つの測定器Ａ〜Ｃに接続される電気機器が、図７に示すように変更されたような場合を考える。図７において、測定器Ａには、２０１１／７／２の１７：５０までは冷蔵庫が接続されており、それ以降は、テレビジョンが接続されていたとする。
【００８３】
測定器Ａに接続されてきた電気機器２００の履歴が適切に管理されていない場合には、例えば、「現在」の段階で、電力消費に関する情報（例えば、消費電力量の時間的推移を示すグラフなど）を出力したときに、誤った情報が表示されてしまうことになる。すなわち、テレビジョンについてのグラフに冷蔵庫について測定された情報が混入することになる。あるいは、冷蔵庫についてのグラフにテレビジョンについて測定された情報が混入することもある。
【００８４】
［Ｄ．解決手段の概要］
本実施の形態に従う管理システム２は、測定器４００と電気機器２００との関連付けを適切に管理することで、上述のような測定情報の混入といった課題を解決する。このような課題を解決するためのアプローチとしては、以下のような２つを考える。
【００８５】
図８は、本発明の実施の形態における解決手段の概要について説明するための図である。図８（ａ）は、第１のアプローチについて示し、図８（ｂ）は、第２のアプローチについて示す。
【００８６】
図８（ａ）を参照して、第１のアプローチとしては、測定情報を測定器４００の別に時系列に格納する（測定情報テーブル３５０）とともに、測定器４００と電気機器２００との関連付けに関する履歴情報を保持する（履歴情報テーブル１５０）。そして、いずれかの電気機器２００に関する電力情報の出力が要求された場合には、履歴情報テーブル１５０の内容を参照して、測定情報テーブル３５０から必要な測定情報を抽出することで、当該選択された電気機器２００に関する電力情報が生成および出力される。
【００８７】
このように、測定器４００において測定された測定情報を測定情報テーブル３５０にそのまま保存することで、測定器４００と電気機器２００（測定対象機器）との関連付けに誤りがあっても、後々での対処が可能になる。また、測定情報テーブル３５０および履歴情報テーブル１５０を管理する主体が同一である場合および異なっている場合のいずれにも対処できる。例えば、データ格納装置３００が測定情報テーブル３５０を保持し、表示装置１００が履歴情報テーブル１５０を保持するような形態を採用できる。
【００８８】
図８（ｂ）を参照して、第２のアプローチとしては、それぞれの測定器４００から送信される測定情報を、電気機器２００に関連付けて時系列に格納する（測定情報テーブル３７０）。このような測定情報テーブル３７０を生成するために、測定器４００と電気機器２００（測定対象機器）との対応関係（対応関係テーブル３６０）を予め設定しておき、この対応関係テーブル３６０を参照して、それぞれの測定器４００から送信される測定情報を測定情報テーブル３７０に順次格納する。そして、いずれかの電気機器２００に関する電力情報の出力が要求された場合には、測定情報テーブル３７０に基づいて、当該選択された電気機器２００に関する電力情報が生成および出力される。
【００８９】
このような対応関係テーブル３６０を用いることで、測定情報の管理をより容易化できる。
【００９０】
以下、第１のアプローチのより具体的な実装例である実施の形態１およびその変形例、ならびに、第２のアプローチのより具体的な実装例である実施の形態２およびその変形例について詳述する。
【００９１】
［Ｅ．実施の形態１］
（ｅ１：概要）
本発明の実施の形態１に従う管理システム２は、少なくとも１つの電気機器２００における電力消費に関する電力を管理する。管理システム２は、各電気機器２００に関連付けられた測定器４００からそれぞれ送信される、当該電気機器２００における電力消費に関する測定情報を、測定器４００の別に時系列に格納する機能（測定情報テーブル３５０）と、測定器と電気機器との関連付けに関する履歴情報を格納する機能（履歴情報テーブル１５０）とを有する。一例として、図１に示す管理システム２においては、データ格納装置３００が測定情報テーブル３５０を管理し、表示装置１００が履歴情報テーブル１５０を管理する。さらに、管理システム２は、ユーザなどによる電気機器２００の選択に応答して、測定器４００の別に格納された測定情報（測定情報テーブル３５０）のうち、当該選択された電気機器２００に対応する測定情報を抽出することで、当該選択された電気機器２００についての電力情報を出力する機能を有する。この電力情報を出力する機能については、表示装置１００およびデータ格納装置３００のいずれか一方または両方に存在していてもよい。以下では、典型的な構成として、表示装置１００が電力情報を出力する機能を有する構成について説明する。
【００９２】
（ｅ２：データ構造）
図９は、本発明の実施の形態１に従う管理システム２において用いられるテーブルのデータ構造の一例を示す図である。図９（ａ）は、測定情報テーブル３５０の一例を示し、図９（ｂ）は、履歴情報テーブル１５０の一例を示す。
【００９３】
データ格納装置３００は、それぞれの電気機器２００における電力消費に関する測定情報を測定器４００の別に時系列に格納する。すなわち、図９（ａ）に示す測定情報テーブル３５０には、測定器４００の別に、所定時間間隔で測定情報が順次格納される。より具体的には、測定情報テーブル３５０は、測定器４００の識別情報を格納する列３５０１と、対応する測定器４００から送信される測定情報を順次格納する列３５０２とを含む。
【００９４】
列３５０１には、管理システム２の配下にある測定器４００のそれぞれを識別するための情報が格納される。なお、図９（ａ）においては、列３５０１に測定器４００の名前が格納されている例を示すが、ネットワークアドレス（ＭＡＣアドレスやＩＰアドレス）などを用いてもよい。
【００９５】
列３５０２には、それぞれの測定器４００から送信される測定情報が、当該測定情報の送信元の測定器４００に対応する行に順次格納される。すなわち、測定器Ａで測定された時刻ｔ１における測定情報Ａ（ｔ１）は、測定器Ａに対応する行に格納されるとともに、測定器Ａで測定された時刻ｔ２における測定情報Ａ（ｔ２）が同一行の後続する列に格納される。その他の測定器４００で測定された測定情報についても、同様に格納される。
【００９６】
図９（ｂ）に示す履歴情報テーブル１５０は、それぞれの電気機器２００（測定対象機器）がいずれの測定器４００に、いつ接続されてきたのかを示す履歴情報を格納する。すなわち、履歴情報テーブル１５０は、測定器４００との関連付けが有効化された時刻および当該関連付けられた測定器４００を識別するための情報を、電気機器２００の別に格納する。
【００９７】
より具体的には、履歴情報テーブル１５０は、電気機器２００（測定対象機器）の識別情報を格納する列１５０１と、対応する電気機器２００の接続が開始された日時を示す列１５０２と、対応する電気機器２００の接続が終了した日時を示す列１５０３と、対応する電気機器２００が接続されている測定器４００の識別情報を格納する列１５０４とを含む。図９（ｂ）の「測定対象機器１」の列に示すように、同一の電気機器２００（測定対象機器）について、その接続先が変更されるたびに、その変更に係る内容（接続先の測定器４００の識別情報、接続開始日時、接続終了日時）が更新される。
【００９８】
このように、本実施の形態に従う管理システム２は、測定器４００と電気機器２００との関連付けに関する履歴情報を格納する。
【００９９】
なお、本実施の形態に従う管理システム２では、上述した測定情報テーブル３５０および履歴情報テーブル１５０に格納されるデータを保持できればよいので、図９に示すデータ構造に限られず、任意のデータ構造を採用することができる。また、単一の装置が、測定情報テーブル３５０および履歴情報テーブル１５０のいずれも格納するようにしてもよい。
【０１００】
（ｅ３：測定情報）
本実施の形態に従う管理システム２では、測定情報テーブル３５０および履歴情報テーブル１５０を用いて、ユーザが選択した電気機器２００についての電力情報を出力するが、その前に、測定器４００によって測定される測定情報およびその送信方法について説明する。
【０１０１】
図５を用いて説明したように、測定器４００は、基本的には接続されている電気機器で消費される消費電力（瞬間消費電力（単位：ＷまたはｋＷ））を測定する。この瞬間消費電力を所定時間に亘って積算することで、当該電気機器の消費電力量（単位：ＷｈまたはｋＷｈ）が算出される。
【０１０２】
表示装置１００は、それぞれの電気機器における瞬間消費電力および消費電力量のいずれをも表示することが可能である。さらに、複数の電気機器をグルーピング化して、そのグループ全体についての瞬間消費電力および消費電力量を表示することもできる。
【０１０３】
そのため、測定器４００から送信される対応する電気機器２００についての測定情報の実装例としては、例えば、以下のようになる（但し、以下の例に限られるものではない）。
【０１０４】
（１）  測定器４００が電気機器２００における瞬間消費電力を送信周期に亘って積算することで、送信周期ごとの消費電力量を測定情報として定期的に送信する。すなわち、前回の送信から今回の送信までの間に電気機器２００で消費された電力量（単位：ＷｈまたはｋＷｈ）が所定周期ごとに送信される。
【０１０５】
（２）  測定器４００が電気機器２００における瞬間消費電力（単位：ＷまたはｋＷ）を所定周期ごと（例えば、１秒ごと）に測定し、当該測定周期と同じ送信周期で、その測定された瞬間消費電力を測定情報として送信する。
【０１０６】
（３）  測定器４００が電気機器２００における瞬間消費電力を所定周期ごと（例えば、１秒ごと）に測定し、当該測定周期よりは長い送信周期で、前回の送信から今回の送信までの間に測定された複数の瞬間消費電力を測定情報として送信する。
【０１０７】
（４）  測定器４００が電気機器２００における瞬間消費電力を所定周期ごと（例えば、１秒ごと）に測定し、当該測定周期よりは長い送信周期で、前回の送信から今回の送信までの間に測定された複数の瞬間消費電力を平均して得られた平均瞬間消費電力を測定情報として送信する。
【０１０８】
（５）  （３）または（４）において、瞬間消費電力または平均瞬間消費電力とともに、前回の送信から今回の送信までの間に測定された複数の瞬間消費電力を積算した消費電力量を含む測定情報を送信する。さらに、複数の瞬間消費電力の平均値・最小値・最大値などを付加してもよい。
【０１０９】
測定情報には、測定器４００が何らかの手段で取得した時刻情報を付加してもよいが、一般的には、データ格納装置３００が測定情報を受信すると、そのときの時刻を時計３０５より取得し、受信した測定情報と関連付けて測定情報テーブル３５０に格納する。
【０１１０】
データ格納装置３００と測定器４００との間での測定情報の遣り取りについては、任意のプロトコルを採用することができる。典型的には、測定器４００が自身の測定した測定結果を含むパケットをブロードキャストし、データ格納装置３００がこのパケットを受信する構成が採用される。但し、データ格納装置３００がそれぞれの測定器４００に対して定期的にポーリングするようにしてもよい。
【０１１１】
（ｅ４：電力情報の出力処理）
次に、図９に示す測定情報テーブル３５０および履歴情報テーブル１５０を用いて、電力情報を出力する処理について説明する。図１０は、本発明の実施の形態１に従う管理システム２における電力情報の出力処理を説明するための図である。
【０１１２】
図１０（ａ）には、測定情報テーブル３５０に格納される測定情報の種別を模式的に示す。一例として、測定器Ａには、２０１１／２／１の２３：４５までは測定対象機器１が接続されており、それ以降２０１１／７／２の１７：５０までは測定対象機器２が接続されており、それ以降現在まで測定対象機器１が再度接続されているものとする。また、測定器Ｂには、２０１１／２／１の２３：４５から２０１１／４／１５の１０：０５までは測定対象機器１が接続されていたものとする。また、測定器Ｃには、２０１１／４／１５の１０：０５から現在まで測定対象機器３が接続されているものとする。
【０１１３】
上述したように、履歴情報テーブル１５０には、図１０（ａ）に示すような測定器４００と電気機器２００との関連付けに関する履歴を示す履歴情報が保持されている。表示装置１００は、この履歴情報テーブル１５０に格納されている履歴情報を参照して、測定情報テーブル３５０から必要な期間の測定情報を抽出して、電力情報を出力する。
【０１１４】
図１０（ｂ）には、測定対象機器１〜３の各々について、電力情報を生成する手順を示す。図１０に示す例において、例えば、測定対象機器１については、測定器Ｂに関連付けて格納されている２０１１／２／１の２３：４５から２０１１／４／１５の１０：０５までの測定情報と、測定器Ａに関連付けて格納されている２０１１／７／２の１７：５０から現在までの測定情報とを用いて、電力情報が生成される。その他の測定対象機器２および３についても同様である。
【０１１５】
次に、出力される電力情報の一例について説明する。
図１１は、本発明の実施の形態１に従う管理システム２において提供される電力情報の表示例を示す図である。図１１に示す電力情報の表示画面６００は、表示装置１００のタッチパネル１０２に表示される。この表示画面６００は、ユーザが指定された期間に亘る、指定された電気機器２００についての電力消費量の履歴を示すグラフ６０２を含む。このグラフ６０２は、ユーザが選択アイコン６１０を操作することで選択された電気機器２００についての電力消費量を示す。また、ユーザが期間アイコン６０６を操作することで選択された期間についての電力消費量を示す。
【０１１６】
表示画面６００は、表示期間を選択するためのボタン６１４，６１６，６１８を含む。ボタン６１４，６１６，６１８は、それぞれ「日間」、「月間」、「年間」を指定する。「日間」では、指定された１日の間における電力消費量の時間的変化を示し、「月間」では、指定された１月の間における電力消費量の時間的変化を示し、「年間」では、指定された１年の間における電力消費量の時間的変化を示す。このボタン６１４，６１６，６１８により選択される期間に応じて、期間アイコン６０６の表示内容も更新される。
【０１１７】
さらに、ユーザが比較指示アイコン６０８を選択することで、複数の電気機器２００についての電力消費量が同一時間軸上にグラフ表示される。このとき、それぞれの電気機器２００を区別（比較）できるように、異なる色や模様などが付される。
【０１１８】
また、表示画面６００は、現在の電力システム１における電力の需給状態を示す状態表示６０４を含む。さらに、ユーザがボタン６１２を選択することで、指定された電気機器についての現在の消費電力量や消費電力が表示される。
【０１１９】
上述したような表示画面６００に限られず、測定器４００により測定される測定情報に基づいて、様々な形態でユーザに電力情報を出力（提示）できる。また、電力情報の出力形態としては、画面上での表示の他、電子メールによる情報送信、Ｗｅｂなどによる情報開示、プリンタなどによる紙媒体への印刷出力などとしてもよい。
【０１２０】
（ｅ５：処理手順）
次に、本実施の形態に従う管理システム２における処理手順について説明する。
【０１２１】
図１２は、本発明の実施の形態１に従う管理システム２における処理手順を示すシーケンス図である。図１２を参照して、１つまたは複数の測定器４００の各々は、接続されている電気機器２００における電力消費に関する情報を測定し（ステップＳ１０）、当該測定により取得された測定情報をデータ格納装置３００へ送信する（ステップＳ１２）。データ格納装置３００は、各測定器４００から受信した測定情報を、測定器４００の別に時系列に格納する（ステップＳ１４）。このステップＳ１０〜Ｓ１４の処理が、所定周期ごとまたは所定条件ごとに繰り返される。
【０１２２】
その後、ユーザが、いずれかの測定器４００に接続される電気機器２００を変更したとする（ステップＳ２０）。このとき、ユーザは、表示装置１００においてこの変更に伴う設定変更操作を行なう（ステップＳ２２）。すると、表示装置１００は、ユーザによりなされた設定変更操作に従って、履歴情報テーブル１５０の内容を更新する（ステップＳ２４）。この履歴情報テーブル１５０の内容の変更中および変更後も、ステップＳ１０〜Ｓ１４の処理が、所定周期ごとまたは所定条件ごとに繰り返される。
【０１２３】
その後、ユーザが、表示装置１００において電力情報の出力を要求する操作を行なったとする（ステップＳ３０）。この要求する操作には、電力情報を出力する対象の電気機器２００（測定対象機器）の選択も含まれるものとする。この要求する操作に応答して、表示装置１００は、履歴情報テーブル１５０を参照して、選択された電気機器２００についての履歴情報を検索するとともに、検索の結果得られた履歴情報に基づいて、データ格納装置３００に格納されている測定器４００ごとの測定情報のうち、必要な測定情報を要求する（ステップＳ３２）。データ格納装置３００は、要求された測定情報に従って、測定情報テーブル３５０から必要な測定情報を抽出し、表示装置１００へ送信する（ステップＳ３４）。表示装置１００は、データ格納装置３００から受信した測定情報に基づいて、ユーザが選択した電気機器２００についての電力情報を出力する（ステップＳ３６）。
【０１２４】
ユーザが表示装置１００に対して、別の電力情報の出力を要求した場合には、上述と同様の処理によって、要求された電力情報が作成および出力される。
【０１２５】
（ｅ６：設定変更操作）
次に、測定器４００に接続される電気機器２００が変更される際に実行される、設定変更の操作例について説明する。
【０１２６】
本形態に従う管理システム２は、各測定器４００について、関連付けられる電気機器２００の指定を受け付けるためのユーザインターフェイス画面を提供する。図１３〜図１７は、本発明の実施の形態１に従う管理システム２において提供される設定変更操作に係るユーザインターフェイス画面の一例を示す図である。
【０１２７】
ユーザが表示装置１００に対して、設定変更の開始を要求すると、図１３に示すようなユーザインターフェイス画面６５０がタッチパネル１０２上に提示される。ユーザインターフェイス画面６５０には、管理システム２とデータ通信可能な測定器４００（図１３においては「電力測定装置」として表示されている）が一覧表示されるとともに、各測定器４００についての識別番号（図１３に示す例では、ＭＡＣアドレス）と、関連付けられている電気機器２００およびその設置場所が表示される。
【０１２８】
ユーザインターフェイス画面６５０は、入れ替えボタン６６１と、設定ボタン６６２と、削除ボタン６６３と、完了ボタン６６４とを含む。
【０１２９】
ユーザが入れ替えボタン６６１を選択すると、一覧表示されている測定器４００のうち、選択された２つの測定器４００の間で、関連付けられる電気機器２００の情報が入れ替えられる（選択するためのユーザインターフェイスについては図示していない）。そのため、２つの測定器４００の間で、互いに接続される電気機器２００を交換する場合には、より便利である。
【０１３０】
ユーザが設定ボタン６６２を選択すると、図１４〜図１７に示す一連の設定操作を行なうことができる。後述の図１４〜図１７を参照した例では、何らの電気機器２００とも関連付けられていない３番目の測定器４００に対する設定操作を行なう場合の設定操作について説明する。
【０１３１】
ユーザが削除ボタン６６３を選択すると、予め選択された測定器４００に関連付けられている電気機器２００の設定情報が削除される。ユーザが完了ボタン６６４を選択すると、設定変更のモードから抜けて、メニュー画面に戻る。
【０１３２】
図１３に示すユーザインターフェイス画面６５０において、ユーザが一覧表示される３番目の測定器４００を選択した上で、設定ボタン６６２を選択すると、図１４に示すユーザインターフェイス画面６５１へ遷移する。
【０１３３】
ユーザインターフェイス画面６５１では、選択済の測定器４００に接続される電気機器２００が設置される階の入力が要求される。図１４に示す例では、１階（１Ｆ）〜５階（５Ｆ）および屋上が選択肢として一覧表示されている。例えば、ユーザが１階（１Ｆ）を選択すると、図１５に示すユーザインターフェイス画面６５２へ遷移する。
【０１３４】
ユーザインターフェイス画面６５２では、選択済の測定器４００に接続される電気機器２００が設置される部屋（エリア）の入力が要求される。図１５に示す例では、玄関、リビング、キッチン、ダイニング、書斎、子供部屋が選択肢として一覧表示されている。例えば、ユーザが子供部屋を選択すると、図１６に示すユーザインターフェイス画面６５３へ遷移する。
【０１３５】
ユーザインターフェイス画面６５３では、選択済の測定器４００に接続される電気機器２００の種別の入力が要求される。図１６に示す例では、テレビ、エアコン、照明、レコーダ、電子レンジが選択肢として一覧表示されている。例えば、ユーザが照明を選択すると、一連の設定変更操作は完了する。そして、図１７に示すように、ユーザインターフェイス画面６５４においては、一連の操作によって入力された電気機器２００についての情報が３番目の測定器４００に関連付けられたことが提示される。
【０１３６】
以上のような設定変更操作によっていずれかの測定器４００と電気機器２００との関連付けが変更されると、表示装置１００は、当該変更がなされた時刻とともに、変更の内容を履歴情報テーブル１５０へ格納する。
【０１３７】
（ｅ７：補正処理）
上述したように、測定器４００から送信される測定情報は、基本的には、接続されている電気機器２００で消費される消費電力（瞬間消費電力（単位：ＷまたはｋＷ））を含む。このような場合には、消費電力が測定情報テーブル３５０に順次格納される。このような測定情報テーブル３５０を用いることで、その中に格納されている情報をそのまま用いて、図１１に示すようなグラフ６０２を表示することができる。
【０１３８】
一方、測定器４００が接続されている電気機器２００における消費電力の積算量（消費電力量（単位：ＷｈまたはｋＷｈ））を測定情報として送信する場合には、これらの測定情報から、単位時間における平均の消費電力または単位時間内における消費電力量を算出した上で、測定情報テーブル３５０に格納してもよい。
【０１３９】
但し、測定器４００が何らかの理由でリセットされ、それ以前に積算していた消費電力量が消去される場合がある。このような場合には、消費電力量の消去に伴って生じる誤差をさらに補正する必要がある。以下、このような補正処理について説明する。
【０１４０】
図１８は、本発明の実施の形態に従う管理システム２における測定情報の補正処理について説明するための図である。図１８（ａ）には、測定器４００が累積の消費電力量を測定情報として送信する場合における、測定情報の値についての時間的変化の一例を示す。図１８（ａ）に示すように、ある期間の電気機器２００における消費電力量は、当該期間における累積の消費電力量と直前の期間における累積の消費電力量との差分に相当する。そのため、測定情報テーブル３５０には、各期間において算出される差分が順次格納される。
【０１４１】
ここで、時刻ｔ０において、測定器４００が何らかの理由によってリセットされてしまった場合を考える。この場合、リセットによって、測定器４００が直前まで保持していた情報は消去され、累積の消費電力量もゼロクリアされる。すなわち、図１８（ａ）に示すように、リセット直後は、累積の消費電力量がゼロから増大することになる。
【０１４２】
このような場合、時刻ｔ１から時刻ｔ２の間（以下、「期間ｔ１−２」と記す）における消費電力量は、時刻ｔ１からリセット直前までの累積の消費電力量の差分（消費電力量Ｅａ）と、リセット直後から時刻ｔ２までの累積の消費電力量の差分（消費電力量Ｅｂ）との合計になる（Ｅ（ｔ１−２）＝Ｅａ＋Ｅｂ）。すなわち、リセット直前の消費電力量Ｅａを用いて補正を行なう必要がある。このような補正を行なった結果を図１８（ｂ）に示す。
【０１４３】
図１８（ｂ）において、時刻ｔ１から時刻ｔ２の間（期間ｔ１−２）における消費電力量は、時刻ｔ２における消費電力量Ｅ（ｔ２）と時刻ｔ１における消費電力量Ｅ（ｔ１）との差分になる（Ｅ（ｔ１−２）＝Ｅ（ｔ２）−Ｅ（ｔ１））。
【０１４４】
なお、測定器４００がリセットされたか否かについては、測定器４００から通知するようにしてもよいし、期間前後において、累積の電力消費量が所定のしきい値を超えて変化している場合に、リセットされたと判定してもよい。
【０１４５】
（ｅ８：まとめ）
本実施の形態に従う管理システム２によれば、測定器４００において測定された情報をそのまま格納することにより、頻繁に生じる測定情報の保存処理を簡素化できる。その上で、電力情報の出力がユーザによって要求された場合には、予め管理している履歴情報に基づいて、必要な測定情報を抽出することで、電力情報を生成できる。このような構成を採用することで、測定情報を格納する主体と、電力情報の生成／出力／表示を行なう主体とを互いに独立に設けることができる。また、測定器４００と電気機器２００（測定対象機器）との関連付けに誤りがあっても、後々での対処が可能になる。
【０１４６】
［Ｆ．実施の形態１の第１変形例］
上述の実施の形態１においては、測定器４００と電気機器２００との過去の関連付けを含む履歴情報を保持する履歴情報テーブル１５０を用いる例を示したが、誤った電力情報をユーザに出力することを回避する観点からは、電気機器２００の各々について、最新の関連付けの情報およびその有効時刻を保持するようにしてもよい。すなわち、実施の形態１の第１変形例に従う管理システム２は、履歴情報として、最も新しく関連付けられた測定器４００を識別するための情報を、電気機器２００の別に格納する。このような履歴情報を用いることで、各電気機器２００の少なくとも１回前の接続変更時からの測定情報については、電力情報として出力することができる。
【０１４７】
図１９は、本発明の実施の形態１の第１変形例に従う管理システム２において用いられる履歴情報テーブル１５０Ａのデータ構造の一例を示す図である。履歴情報テーブル１５０Ａは、それぞれの電気機器２００（測定対象機器）がいずれの測定器４００に接続されているのか、および、その接続が開始された日時を格納する。すなわち、履歴情報テーブル１５０Ａは、電気機器２００と測定器４００との関連付け、および、その関連付けが有効になった時刻を示す有効時刻情報を含む。
【０１４８】
より具体的には、履歴情報テーブル１５０Ａは、電気機器２００（測定対象機器）の識別情報を格納する列１５０１と、対応する電気機器２００の接続が開始された日時を示す列１５０２と、対応する電気機器２００が接続されている測定器４００の識別情報を格納する列１５０４とを含む。それぞれの電気機器２００（測定対象機器）について、その接続先の測定器４００が変更されるたびに、対応する列１５０２の内容は、接続が変更された時刻に更新されるとともに、対応する列１５０４の内容は、接続されている測定器４００の識別情報に更新される。すなわち、図９（ｂ）に示す履歴情報テーブル１５０に比較して、履歴情報テーブル１５０Ａは、列１５０３が除かれている点、および、最新に接続された測定器４００の識別情報のみが格納される点が異なっている。
【０１４９】
図１９に示す履歴情報テーブル１５０Ａは、図１０に示す「現在」の状態に対応して記載されており、いずれの測定器４００にも接続されていない測定対象機器２については、履歴情報テーブル１５０Ａにおいてもブランク（ｎｕｌｌ）となっている（列１５０２および列１５０４）。
【０１５０】
なお、データ格納装置３００は、上述した実施の形態１において説明したように、測定情報を測定器４００の別に時系列に格納する（測定情報テーブル３５０）。
【０１５１】
図１０および図１９を参照して、表示装置１００は、履歴情報テーブル１５０Ａを参照して、測定対象機器１については、２０１１／７／２の１７：５０から現在まで測定器Ａに接続されていると判定できる。そのため、表示装置１００は、測定情報テーブル３５０において測定器Ａに関連付けて格納されている２０１１／７／２の１７：５０から現在までの測定情報を抽出して、測定対象機器１についての電力情報を生成する。また、表示装置１００は、測定情報テーブル３５０において測定器Ｂに関連付けて格納されている２０１１／４／１５の１０：０５から現在までの測定情報を抽出して、測定対象機器３についての電力情報を生成する。但し、測定対象機器２については、測定器４００に接続されていないので、電力情報は生成されない。また、測定対象機器１および３についても、現在接続されている測定器４００より前に他の測定器４００に接続されていたときの電力情報については生成されない。
【０１５２】
本変形例では、少なくとも、各電気機器２００の少なくとも１回前の接続変更時からの測定情報については電力情報として出力することができるので、履歴情報の管理を簡素化しつつ、正しい電力情報を生成および出力することができる。
【０１５３】
［Ｇ．実施の形態１の第２変形例］
上述した実施の形態１の第１変形例においては、測定情報テーブル３５０および履歴情報テーブル１５０Ａをそれぞれ格納する形態について例示したが、これらを一体的なテーブルとして実装してもよい。
【０１５４】
図２０は、本発明の実施の形態１の第２変形例に従う管理システム２において用いられ測定情報テーブル３５０Ｂのデータ構造の一例を示す図である。説明の便宜上、図２０に示す測定情報テーブル３５０Ｂは、図１０に示す「現在」の状態に対応して記載されている。
【０１５５】
測定情報テーブル３５０Ｂは、対応する測定器４００に最も新しく関連付けられている／関連付けられていた電気機器２００（測定対象機器）の識別情報を格納する列３５０９と、対応する電気機器２００の接続が開始された日時（関連付けが有効化された日時）を示す列３５０８とを含む。さらに、測定情報テーブル３５０Ｂには、測定器４００からの測定情報が時系列に格納される（列３５０２Ｂ）。
【０１５６】
ここで、測定情報テーブル３５０Ｂには、対応する電気機器２００（測定対象機器）についての「接続開始日時」を始期として、測定器４００ごとの測定情報が格納される。図１０を参照してより具体的に説明すると、測定情報テーブル３５０Ｂの「測定器Ａ」に対応する測定情報は、図１０（ａ）に示すような測定器Ａが測定する測定情報のうち、接続される電気機器が「測定対象機器２」から「測定対象機器１」へ変更された２０１１／７／２の１７：５０から現在までの部分に相当する。同様に、測定情報テーブル３５０Ｂの「測定器Ｃ」に対応する測定情報は、図１０（ａ）に示すような測定器Ｃが測定する測定情報のうち、「測定対象機器３」が接続された２０１１／４／１５の１０：０５から現在までの部分に相当する。一方、測定情報テーブル３５０Ｂの「測定器Ｂ」に対応する測定情報は、図１０（ａ）に示すような測定器Ｂが測定する測定情報のうち、「測定対象機器１」が接続されていた、２０１１／２／１の２３：４５から２０１１／７／２の１７：５０までの部分に相当する。
【０１５７】
例えば、表示装置１００は、測定情報テーブル３５０Ｂを参照して、２０１１／２／１の２３：４５を始期として測定器Ｂに関連付けて格納されている測定情報を抽出するとともに、２０１１／７／２の１７：５０を始期として測定器Ａに関連付けて格納されている測定情報を抽出することで、測定対象機器１についての電力情報を生成する。なお、それぞれ抽出される測定情報は、原理的に時間軸においてオーバラップすることはない。
【０１５８】
同様に、表示装置１００は、測定情報テーブル３５０Ｂを参照して、２０１１／４／１５の１０：０５を始期として測定器Ｃに関連付けて格納されている測定情報を抽出することで、測定対象機器３についての電力情報を生成する。
【０１５９】
但し、図２０に示す測定情報テーブル３５０Ｂでは、測定対象機器２についての電力情報が生成されない。
【０１６０】
本変形例では、少なくとも、各測定器４００に接続された電気機器２００についての最新の測定情報については電力情報として出力することができるので、履歴情報の管理を簡素化しつつ、正しい電力情報を生成および出力することができる。
【０１６１】
［Ｈ．実施の形態１の第３変形例］
上述の実施の形態１ならびにその第１および第２変形例においては、表示装置１００とデータ格納装置３００とが別体である管理システム２を一例として説明したが、これらの機能を一体化した管理装置として実装してもよい。以下、管理システム２に係る機能を搭載する管理装置の典型例として、ホームコントローラ１００Ａについて説明する。
【０１６２】
図２１は、本発明の実施の形態１の第３変形例に従うホームコントローラ１００Ａを含む電力システム１Ａの全体構成を示す模式図である。図２２は、本発明の実施の形態１の第３変形例に従うホームコントローラ１００Ａのハードウェア構成を示す模式図である。
【０１６３】
図２１に示す電力システム１Ａでは、図１に示す電力システム１に比較して、表示装置１００およびデータ格納装置３００に代えて、ホームコントローラ１００Ａが設けられている。図２２に示すホームコントローラ１００Ａのハードウェア構成は、図２に示す表示装置１００と同様である。但し、ホームコントローラ１００Ａでは、履歴情報テーブル１５０（または、履歴情報テーブル１５０Ａ）に加えて、測定情報テーブル３５０を保存および管理する点が異なっている。
【０１６４】
ホームコントローラ１００Ａは、上述した実施の形態１に従う管理システム２、実施の形態１の第１変形例に従う管理システム２、実施の形態１の第２変形例に従う管理システム２のいずれかが提供する全体機能を単一の装置で提供する。このホームコントローラ１００Ａにおける情報処理は、ＣＰＵ１０１（図２２）が周辺のハードウェアコンポーネントと連係してプログラムを実行することで実現される。一般的には、このようなプログラムは、メモリ１１０などに予めインストールされる。
【０１６５】
このようなプログラムは、任意の記憶媒体に格納されて流通することで提供されうる。あるいは、このようなプログラムは、インターネットなどに接続されているサーバ装置からのダウンロードによって提供されうる。すなわち、記憶媒体から格納されているプログラムが読み出されて、または、サーバ装置からダウンロードによりプログラムが取得されて、メモリ１１０などに一旦格納される。そして、ＣＰＵ１０１は、メモリ１１０に格納されたプログラムを実行可能な形式に展開した上で、当該プログラムを実行する。このようなプログラムを格納する記憶媒体としては、フラッシュメモリ、マスクＲＯＭ、ＥＰＲＯＭ、ＥＥＰＲＯＭ、ＩＣカードなどの半導体記憶媒体、ＣＤ−ＲＯＭやＤＶＤ−ＲＯＭなどの光学ディスク記憶媒体、ＭＯやＭＤなどの光磁気ディスク記憶媒体、ＦＤ、磁気テープ、カセットテープなどの磁気記憶媒体を用いることができる。
【０１６６】
その他の点については、上述したので、詳細な説明は繰り返さない
本変形例では、より少ない装置構成を採用できるので、構成をより簡素化できるとともに、コスト低減についても寄与できる。
【０１６７】
［Ｉ．実施の形態２］
（ｉ１：概要）
本発明の実施の形態２に従う管理システム２についても、少なくとも１つの電気機器２００における電力消費に関する電力を管理する。管理システム２は、各電気機器２００に関連付けられた測定器４００からそれぞれ送信される、当該電気機器２００における電力消費に関する測定情報を取得する機能と、予め設定された測定器４００と電気機器２００との対応関係（対応関係テーブル３６０）に基づいて、各測定器４００から取得した測定情報を対応する電気機器２００に関連付けて時系列に格納する機能（測定情報テーブル３７０）とを有する。
【０１６８】
一例として、図１に示す管理システム２においては、データ格納装置３００が対応関係テーブル３６０および測定情報テーブル３７０を管理する。さらに、管理システム２は、電気機器２００に関連付けて時系列に格納された測定情報（測定情報テーブル３７０）に基づいて、各電気機器２００についての電力情報を出力する機能を有する。この電力情報を出力する機能については、表示装置１００およびデータ格納装置３００のいずれか一方または両方に存在していてもよい。以下では、典型的な構成として、表示装置１００が電力情報を出力する機能を有する構成について説明する。
【０１６９】
図２３は、本発明の実施の形態２に従う管理システム２における測定情報の格納処理を説明するための図である。図２３には、上述した実施の形態１で説明した図１０と同様に、電気機器２００と測定器４００との対応関係が変更された例を示す。
【０１７０】
本実施の形態においては、測定器４００と電気機器２００（測定対象機器）との対応関係（対応関係テーブル３６０）に基づいて、それぞれの測定器４００から送信される測定情報が対応する電気機器２００に関連付けて格納される。例えば、２０１１／２／１の２３：４５までの期間Ｔ１においては、測定器Ａに測定対象機器１が対応付けられており、データ格納装置３００は、測定器Ａから取得した測定情報を測定対象機器１に関連付けて時系列に格納する。
【０１７１】
この期間Ｔ１の後、電気機器２００と測定器４００との対応関係が更新されたとする。すなわち、期間Ｔ１に続く期間Ｔ２（２０１１／２／１の２３：４５から２０１１／４／１５の１０：０５まで）においては、測定器Ａに測定対象機器２が対応付けられており、測定器Ｂに測定対象機器１が対応付けられている。そのため、データ格納装置３００は、測定器Ａから取得した測定情報を測定対象機器２に関連付けて時系列に格納し、測定器Ｂら取得した測定情報を測定対象機器１に関連付けて時系列に格納する。
【０１７２】
以下、期間Ｔ３およびＴ４についても同様に、それぞれの測定器４００から取得した測定情報が電気機器２００（測定対象機器）に関連付けて時系列に格納される。
【０１７３】
このように、測定情報が電気機器２００（測定対象機器）の別に時系列に格納されるので、それぞれの電気機器２００（測定対象機器）についての電力情報を容易に出力することができる。
【０１７４】
（ｉ２：データ構造）
図２４は、本発明の実施の形態２に従う管理システム２において用いられるテーブルのデータ構造の一例を示す図である。図２４（ａ）は、対応関係テーブル３６０の一例を示し、図２４（ｂ）は、測定情報テーブル３７０の一例を示す。説明の便宜上、図２４（ａ）に示す対応関係テーブル３６０および図２４（ｂ）に示す測定情報テーブル３７０は、図１０に示す「現在」の状態に対応して記載されている。
【０１７５】
データ格納装置３００は、対応関係テーブル３６０を参照して、それぞれの測定器４００と電気機器２００との対応関係を判断する。より具体的には、対応関係テーブル３６０は、電気機器２００（測定対象機器）の識別情報を格納する列３６０１と、対応する電気機器２００が接続されている測定器４００の識別情報を格納する列３６０２とを含む。それぞれの電気機器２００（測定対象機器）について、その接続先の測定器４００が変更されるたびに、対応する列１５０２の内容は、接続が変更された時刻に更新されるとともに、対応する列１５０４の内容は、接続されている測定器４００の識別情報に更新される。なお、図２４（ａ）においては、列３６０２に測定器４００の名前が格納されている例を示すが、ネットワークアドレス（ＭＡＣアドレスやＩＰアドレス）などを用いてもよい。
【０１７６】
測定情報テーブル３７０は、電気機器２００（測定対象機器）の識別情報を格納する列３７０１と、対応する電気機器２００（測定対象機器）についての測定情報を順次格納する列３７０２とを含む。
【０１７７】
列３７０２には、それぞれの測定器４００から送信される測定情報が、接続されている電気機器２００に対応する行に順次格納される。例えば、測定器Ａで測定された時刻ｔ１における測定情報Ａ（ｔ１）は、時刻ｔ１において測定器Ａが測定対象機器２に接続されていれば、測定対象機器２に対応する行へ格納される。同様に、測定器Ｂで測定された時刻ｔ１における測定情報Ｂ（ｔ１）は、時刻ｔ１において測定器Ｂが測定対象機器１に接続されていれば、測定対象機器１に対応する行へ格納される。以下、接続変更（対応関係テーブル３６０の更新）がなされるまで、同様の処理が繰り返される。
【０１７８】
その後、例えば、時刻ｔＮにおいて、測定対象機器１の接続先が測定器Ｂから測定器Ａへ変更されると、それ以降、測定対象機器１に対応する行へは、測定器Ａで測定された測定情報Ａ（ｔＮ＋１）が格納されることになる。
【０１７９】
測定情報テーブル３７０には、測定元の測定器４００を識別するための情報とともに、測定情報を格納してもよい。すなわち、図２４（ｂ）に示す例では、測定情報Ａ（ｔ１）が「測定器Ａ」からのものであることを示す情報を付加してもよい。
【０１８０】
このように、本実施の形態に従う管理システム２は、予め設定された測定器４００と電気機器２００との対応関係に基づいて、各測定器４００から取得した測定情報を対応する電気機器２００に関連付けて時系列に格納する。
【０１８１】
なお、本実施の形態に従う管理システム２では、上述した対応関係テーブル３６０および測定情報テーブル３７０に格納されるデータを保持できればよいので、図２４に示すデータ構造に限られず、任意のデータ構造を採用することができる。また、対応関係テーブル３６０および測定情報テーブル３７０は、それぞれ異なる装置が管理するようにしてもよい。
【０１８２】
（ｉ３：測定情報）
実施の形態２において使用される測定情報については、上述の実施の形態１において説明したので、詳細な説明は繰り返さない。
【０１８３】
（ｉ４：電力情報の出力処理）
次に、本実施の形態に従う管理システムにおいて電力情報を出力する処理について説明する。
【０１８４】
上述したように、本実施の形態においては、測定情報テーブル３７０に、電気機器２００に関連付けて測定情報が時系列に格納される。そのため、ユーザが選択した電気機器２００についての測定情報を容易に抽出することができる。
【０１８５】
本実施の形態に従う管理システム２は、典型的には、上述の図１１に示す表示画面６００を提示する。すなわち、測定情報テーブル３７０の各行に格納される測定情報は、上述した図１１に示す表示画面６００内のグラフ６０２の生成にそのまま利用できる。そのため、電力情報の出力処理を簡素化できる。
【０１８６】
なお、本実施の形態に従う管理システム２は、図１１に示すような表示画面６００に限られず、測定情報テーブル３７０に格納される測定情報に基づいて、様々な形態でユーザに電力情報を出力（提示）する。また、電力情報の出力形態としては、画面上での表示の他、電子メールによる情報送信、Ｗｅｂなどによる情報開示、プリンタなどによる紙媒体への印刷出力などとしてもよい。
【０１８７】
（ｉ５：処理手順）
次に、本実施の形態に従う管理システム２における処理手順について説明する。
【０１８８】
図２５は、本発明の実施の形態２に従う管理システム２における処理手順を示すシーケンス図である。図２５を参照して、１つまたは複数の測定器４００の各々は、接続されている電気機器２００における電力消費に関する情報を測定し（ステップＳ５０）、当該測定により取得された測定情報をデータ格納装置３００へ送信する（ステップＳ５２）。データ格納装置３００は、いずれかの測定器４００から測定情報を受信すると、対応関係テーブル３６０を参照して、測定情報の送信元の測定器４００に対応付けられている電気機器２００を特定する（ステップＳ５４）。そして、データ格納装置３００は、測定器４００から受信した測定情報を、対応する電気機器に関連付けて測定情報テーブル３７０に時系列に格納する（ステップＳ５６）。このステップＳ５０〜Ｓ５６の処理が、所定周期ごとまたは所定条件ごとに繰り返される。
【０１８９】
その後、ユーザが、いずれかの測定器４００に接続される電気機器２００を変更したとする（ステップＳ６０）。このとき、ユーザは、表示装置１００においてこの変更に伴う設定変更操作を行なう（ステップＳ６２）。すると、表示装置１００は、ユーザによりなされた設定変更操作の内容を示す設定変更情報をデータ格納装置３００へ送信する。データ格納装置３００は、この設定変更情報に基づいて、対応関係テーブル３６０の内容を更新する（ステップＳ７４）。この対応関係テーブル３６０の内容の変更後も、ステップＳ５０〜Ｓ５６の処理が、所定周期ごとまたは所定条件ごとに繰り返される。
【０１９０】
その後、ユーザが、表示装置１００において電力情報の出力を要求する操作を行なったとする（ステップＳ７０）。この要求する操作には、電力情報を出力する対象の電気機器２００（測定対象機器）の選択も含まれるものとする。この要求する操作に応答して、表示装置１００は、データ格納装置３００に選択された電気機器２００についての測定情報を要求する（ステップＳ７２）。データ格納装置３００は、測定情報テーブル３７０から、指定された電気機器２００に関連付けられた測定情報を抽出し、表示装置１００へ送信する（ステップＳ７４）。表示装置１００は、データ格納装置３００から受信した測定情報に基づいて、ユーザが選択した電気機器２００についての電力情報を出力する（ステップＳ７６）。
【０１９１】
ユーザが表示装置１００に対して、別の電力情報の出力を要求した場合には、上述と同様の処理によって、要求された電力情報が作成および出力される。
【０１９２】
（ｉ６：設定変更操作）
測定器４００に接続される電気機器２００が変更される際に実行される、設定変更の操作例については、上述の実施の形態１において説明したので、詳細な説明は繰り返さない。
【０１９３】
（ｉ７：補正処理）
上述の実施の形態１において説明した補正処理についても、実施の形態２に同様に適用することができる。補正処理の内容については、上述の実施の形態１において説明したので、詳細な説明は繰り返さない。
【０１９４】
［Ｊ．実施の形態２の第１変形例］
上述の実施の形態２においては、予め設定された測定器４００と電気機器２００との対応関係を示す対応関係テーブル３６０と、各測定器４００から取得した測定情報を対応する電気機器２００に関連付けて時系列に格納する測定情報テーブル３７０とを別々に構成する例を示したが、いずれのテーブルについても、電気機器２００（測定対象機器）の識別情報がキーになっているので、両者を同一のテーブルとして構成してもよい。すなわち、実施の形態２の第１変形例に従う管理システム２では、各測定器４００から取得した測定情報を格納するテーブルに、測定器４００と電気機器２００との対応関係が付加される。
【０１９５】
図２６は、本発明の実施の形態２の第１変形例に従う管理システム２において用いられる測定情報テーブル３７０Ａのデータ構造の一例を示す図である。図２６を参照して、測定情報テーブル３７０Ａは、電気機器２００（測定対象機器）の識別情報を格納する列３７０１と、対応する電気機器２００（測定対象機器）の接続が開始された日時を示す列３７０２と、対応する電気機器２００（測定対象機器）が接続されている測定器４００の識別情報を格納する列３７０５と、対応する電気機器２００（測定対象機器）についての測定情報を順次格納する列３７０２とを含む。
【０１９６】
それぞれの電気機器２００（測定対象機器）について、その接続先の測定器４００が変更されるたびに、対応する列３０７４および３０７５の内容が更新される。すなわち、列３０７４の内容は、接続が変更された時刻に更新され、列３０７５の内容は、接続変更後の測定器４００を示す識別情報に更新される。
【０１９７】
データ格納装置３００は、いずれかの測定器４００から測定情報を受信すると、測定情報テーブル３７０Ａを参照して、当該測定情報の送信元の測定器４００に対応付けられている電気機器２００（測定情報テーブル３７０Ａにおける行）を特定し、当該特定した行に受信した測定情報を順次格納する。
【０１９８】
本変形例では、データ格納装置３００によるテーブルのアクセス回数を低減できるとともに、対応関係および測定情報の管理を容易化できる。
【０１９９】
但し、測定情報テーブル３７０Ａの列３０７４に格納される「接続開始日時」の内容は必須ではない。しかしながら、図１１に示す電力情報の表示画面６００に、この「接続開始日時」を重ねて表示することもでき、それによりユーザは、現在の測定器４００と電気機器２００との間の対応関係がいつから有効であるのかを知ることができる。
【０２００】
［Ｋ．実施の形態２の第２変形例］
上述の実施の形態２およびその第１変形例においては、表示装置１００とデータ格納装置３００とが別体である管理システム２を一例として説明したが、これらの機能を一体化した管理装置として実装してもよい。このような管理システム２に係る機能を搭載する管理装置としては、典型例には、ホームコントローラとして実装される。このようなホームコントローラを含む電力システムの全体構成は、上述の図２１に示す電力システム１Ａと同様であるので、詳細な説明は繰り返さない。また、ホームコントローラのハードウェア構成については、上述の図２２に示すホームコントローラ１００Ａのハードウェア構成と同様であるので、詳細な説明は繰り返さない。
【０２０１】
ホームコントローラは、上述した実施の形態２に従う管理システム２または実施の形態２の第１変形例に従う管理システム２が提供する全体機能を単一の装置で提供する。このホームコントローラにおける情報処理は、ＣＰＵ１０１（図２２）が周辺のハードウェアコンポーネントと連係してプログラムを実行することで実現される。一般的には、このようなプログラムは、メモリ１１０などに予めインストールされる。このようなプログラムの提供形態についても、上述の実施の形態１において説明したので、詳細な説明は繰り返さない。
【０２０２】
本変形例では、より少ない装置構成を採用できるので、構成をより簡素化できるとともに、コスト低減についても寄与できる。
【０２０３】
［Ｌ：その他の実施の形態］
上述の実施の形態１および２ならびにそれらの変形例においては、典型的な構成として、電力システム１に関連付けられたローカルな管理システム２の構成例を示したが、いわゆるクラウドシステムに代表されるような、より高度にネットワーク化された構成を採用してもよい。
【０２０４】
例えば、本実施の形態に従う管理システムをクラウドシステムとして実現する場合には、測定情報を格納する機能、電力情報を生成する機能、履歴情報を保持・管理する機能、対応関係を保持・管理する機能の全部または一部を、外部のサーバ装置などに実行させることになる。このような場合、典型的には、電力システム１が存在するローカル側の機能としては、測定器４００からの測定情報をリモート側のサーバ装置へ転送する機能や、リモート側のサーバ装置からの電力情報を表示するためのデータを受信してディスプレイ上に表示する機能などが存在することになる。また、電力情報をリモート側のサーバ装置で生成する場合には、Ｗｅｂブラウザなどを介して、任意の場所およびデバイスから必要な電力情報へアクセスすることもできる。
【０２０５】
［Ｍ．まとめ］
上述したように、本実施の形態によれば、電気機器２００の買い換え／買い増しや部屋の模様替えなどによって、同一の測定器４００に接続される電気機器２００が変更された場合であっても、それぞれの電気機器２００についての、過去からの一連の測定情報を容易に管理することができる。また、これらの測定情報を用いて、電力情報をより容易に生成および出力できる。
【０２０６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０２０７】
１  電力システム、２  管理システム、１００  表示装置、１００Ａ  ホームコントローラ、１０１，３０１  ＣＰＵ、１０２  タッチパネル、１０３  ディスプレイ、１０４  タブレット、１０５  操作ボタン、１０６，３０４  通信インターフェイス、１０７  出力インターフェイス、１０８  入力インターフェイス、１０９，３０２  ハードディスク、１１０，３０３  メモリ、１１１  スピーカ、１１２，３０５  時計、１５０，１５０Ａ  履歴情報テーブル、２００  電気機器、２００Ａ  エアコン、２００Ｂ  テレビジョン、２００Ｃ  電子レンジ、２００Ｄ  冷蔵庫、２００Ｅ  照明器具、２００Ｘ  太陽光発電装置、２００Ｙ  蓄電池、２００Ｚ  パワーコンディショナ、２５０Ａ，２５０Ｂ，２５０Ｃ，２５０Ｄ，２５０Ｅ，４００２  プラグ、３００  データ格納装置、３５０，３５０Ｂ，３７０，３７０Ａ  測定情報テーブル、３６０  対応関係テーブル、４００，４００Ａ〜４００Ｅ  測定器、４０１  ネットワーク、４０２  電力線、４００１  ソケット、４００３  シャント抵抗、４００４，４００５  主配線、４００７  電源部、４０１０  電力検出部、４０１１  電圧入力ＡＤＣ、４０１２  電流入力ＡＤＣ、４０１３  乗算器、４０１４  周波数変換部、４０２０  通信モジュール、４０２１  ＣＰＵ、４０２２  ＲＯＭ、４０２３  ＲＡＭ、４０２４  ＧＰＩＯ、４０２５  無線ＲＦ部、４０３０  アンテナ、４０４１  ＬＥＤ、４０４２  設定ボタン、４０５１，４０５３  表面、４０５２  側面。
【図１】
0005536012.tif 000002
【図２】
0005536012.tif 000003
【図３】
0005536012.tif 000004
【図４】
0005536012.tif 000005
【図５】
0005536012.tif 000006
【図６】
0005536012.tif 000007
【図７】
0005536012.tif 000008
【図８】
0005536012.tif 000009
【図９】
0005536012.tif 000010
【図１０】
0005536012.tif 000011
【図１１】
0005536012.tif 000012
【図１２】
0005536012.tif 000013
【図１３】
0005536012.tif 000014
【図１４】
0005536012.tif 000015
【図１５】
0005536012.tif 000016
【図１６】
0005536012.tif 000017
【図１７】
0005536012.tif 000018
【図１８】
0005536012.tif 000019
【図１９】
0005536012.tif 000020
【図２０】
0005536012.tif 000021
【図２１】
0005536012.tif 000022
【図２２】
0005536012.tif 000023
【図２３】
0005536012.tif 000024
【図２４】
0005536012.tif 000025
【図２５】
0005536012.tif 000026
【図２６】
0005536012.tif 000027